(57)【要約】【課題】  新たに得られた知見を基に新規な身体負荷を低減した着座装置の開発を試みたものである。【解決手段】  本発明の身体負荷を低減した着座装置Ａは、基枠体１に支持される着座部２と、基枠体１に支持され前記着座部２後方に立ち上げ状態に設けられる後方支持体３とを具えてなり、前記後方支持体３は、使用者の背側を高さ方向において、胸郭部下方から腰椎部上方までの範囲に当接して支持するものであり、且つ後方支持体３は、基枠体１に対し、非固定状態に取り付けられていることを特徴として成るものである。【選択図】図１
2011139840.tif 000002
【特許請求の範囲】
【請求項１】
基枠体に支持される着座部と、基枠体に支持され前記着座部後方に立ち上げ状態に設けられる後方支持体とを具えてなり、前記後方支持体は、使用者の背側を高さ方向において、胸郭部下方から腰椎部上方までの範囲に当接して支持するものであり、
且つ後方支持体は、基枠体に対し、非固定状態に取り付けられていることを特徴とする身体負荷を低減した着座装置。
【請求項２】
前記後方支持体は、着座部側を内側とした湾曲した板状形状を有するものであり、後方支持体を非固定状態に取り付けるにあたっては、その後方支持体の上縁部両端近くを回動支点として、後方支持体の下縁側が前方に迫り出すようにして後方支持体が傾斜できるように構成されていることを特徴とする請求項１記載の身体負荷を低減した着座装置。
【発明の詳細な説明】
【技術分野】
【０００１】
本発明は、椅子等の着座装置に関するものであり、特に使用時の快適性を向上させた、身体負荷を低減した着座装置に係るものである。
【背景技術】
【０００２】
椅子に着座した際の快適性を求める工夫の方向性としては、身体に触れる部位の軟らかさや、硬さ等を適切にする手法や、背凭れを充分に後傾できるようにして着座姿勢を充分安楽にする手法などがある。
このうち着座姿勢を安楽なものとする工夫にあっては、多くは使用者が仰臥することができるように背凭れの角度や形状等の工夫が提案されている。このような姿勢は、完全に安楽状態でリラックスした比較的長時間の着座には適切であるものの、着座しながらの作業遂行或いは着座状態から頻繁に立ち上がって他の作業を行うような状況では、上記のような安楽状態を得る手法のものは適切ではない。
ところで、本出願人は人の身体骨格、筋配置などの人のアライメントを考慮して、自然座位姿勢を得るための着座装置の開発を試み、特願２００６−２０２４８９（特開２００７−３０７３４７）として特許出願に及んでいる（特許文献１）。このものは、例えば身体の自然の収まりを考慮して、後傾する骨盤に着眼し、その支承を充分に行い、自然な座位姿勢を採れるように誘導できるよう構成したものである。
ところで更に本発明者は、仰臥状態を深く取らないほぼ通常の姿勢での着座にあたっては、そもそも腰部に負荷となる状態を積極的に回避し、腰部への荷重を軽減することが有効であるとの着想を得るに至った。
【先行技術文献】
【特許文献】
【０００３】
【特許文献１】特開２００７−３０７３４７号公報
【発明の概要】
【発明が解決しようとする課題】
【０００４】
本発明は、これらの種々の背景を考慮してなされたものであって、新たに得られた着想を基に、新規な身体負荷を低減した着座装置の開発を試みたものである。
【課題を解決するための手段】
【０００５】
請求項１記載の身体負荷を低減した着座装置は、基枠体に支持される着座部と、基枠体に支持され前記着座部後方に立ち上げ状態に設けられる後方支持体とを具えてなり、前記後方支持体は、使用者の背側を高さ方向において、胸郭部下方から腰椎部上方までの範囲に当接して支持するものであり、且つ後方支持体は、基枠体に対し、非固定状態に取り付けられていることを特徴として成るものである。
【０００６】
請求項２記載の身体負荷を低減した着座装置は、前記要件に加えて、前記後方支持体については、着座部側を内側とした湾曲した板状形状を有するものであり、後方支持体を非固定状態に取り付けるにあたっては、その後方支持体の上縁部両端近くを回動支点として、後方支持体の下縁側が前方に迫り出すようにして後方支持体が傾斜できるように構成されていることを特徴として成るものである。
【発明の効果】
【０００７】
まず請求項１記載の発明によれば、使用者の背中を支持するにあたって、胸郭部下方から腰椎上部までの範囲で使用者の上体を後ろから後方支持体により支承する状態が得られ、且つ後方支持体は、使用者の姿勢等に応じた傾斜状態となるものであるから、使用者の腰椎、骨盤に掛かる上体の負荷の多くを後部支持体が受け支えることになり、結果的に身体負荷を軽減した状態での着座姿勢が得られる。
【０００８】
また請求項２記載の発明によれば、後方支持体は、斜倒する際その下縁が着座者側に張り出すような状態になり、胸郭部から上方に位置する身体部位の荷重をより明確に受け止めることができる。
【図面の簡単な説明】
【０００９】
【図１】本発明の身体負荷を低減した着座装置を示す斜視図、並びに後方支持体を示す拡大断面図および拡大分解斜視図である。
【図２】本発明の身体負荷を低減した着座装置の後方支持体の回動状態を示す平面図である。
【図３】本発明の身体負荷を低減した着座装置を示す正面図である。
【図４】本発明の身体負荷を低減した着座装置の使用時に於ける使用者の骨格の状態を示す側面図である。
【図５】本発明の身体負荷を低減した着座装置の他の実施例を示す斜視図である。
【図６】本発明の身体負荷を低減した着座装置についての更なる他の実施例を示す説明図である。
【図７】従来の椅子を使用した場合に於ける使用者の骨格状態を示す説明図である。
【発明を実施するための形態】
【００１０】
本発明を実施するための形態は、以下述べる実施例をその一つとするものであると共に、この技術思想に基づく種々の改良した実施例も含むものである。
【実施例１】
【００１１】
以下、本発明を図示の実施例に基づいて具体的に説明する。
まず図１から図４までは、椅子としての着座装置Ａの実施例を示すものであり、これ以外に平座椅子（図５（ａ））或いは座板を幾分か高めた低座椅子（図５（ｂ））などの適宜の形態がとり得るものである。この着座装置Ａは、基枠体１と、基枠体１に支持される着座部２と、同様に基枠体１に支持される後方支持体３とを主要部材とする。
【００１２】
まず基枠体１は、図１から図４に示すように一例として４本の脚部１１を有するものであり、この脚部１１の上方に座板支持枠１２を具える。更に基枠体１は、肘掛枠１３と、後部枠１４とを具える。この後部枠１４は、前記後方支持体３を支持する部材であり、直接これを支持するための回動支持部１５を有する。このような基枠体１に対し、まず座板支持枠１２の上面に着座部２が設けられるものであり、座り心地を考慮した適宜の柔軟弾性を有する着座クッション２０を具えて構成されている。
【００１３】
一方後方支持体３は、支持板３１を必要な強度を保証するための機枠部材とするものであり、このものは、図２に示すように平面視で着座部２側を内側として湾曲した形状を有する。この支持板３１は、その上縁部３Ａの両端近くに回動軸３２を具え、前記基枠体１における回動支持部１５に回動自在に接続されるように構成され、後方支持体３全体がこの回動軸３２を中心に回動するように構成されている。
このように回動軸３２が上縁部３Ａの両端に設けられている場合には、側面視においては、後方支持体３の下縁部３Ｂ側が着座部２側に迫り出すように回動して全体が傾斜した状態を得る。そして支持板３１に対しては、座り心地、使用感を向上するため、支持クッション３３が着座部２側に設けられている。
【００１４】
本発明は、以上述べたような構成を有しており、次のように作用して使用者にとって身体負荷を低減した着座状態を提供する。
まず使用者Ｍは、本発明の着座装置Ａを用いるにあたっては、通常の椅子を用いる場合と何ら異ならない方法で着座する。
ここで、一般に使用者Ｍの人体の骨格上部の各部位について説明する。図４に示すように骨盤Ｂ１、腰椎Ｂ２、胸郭部Ｂ３、胸郭下部Ｂ３０、肩胛骨（肩胛帯）Ｂ４、首（頸椎）Ｂ５、頭部Ｂ６が上肢、下肢を除く主要骨格である。着座したときにはこれら各骨格部位が関連するので、これらの部位がそれぞれ受ける力について説明しながら、本発明の着座装置Ａについて説明する。
【００１５】
まず通常の姿勢で、着座部２に対し使用者Ｍが腰掛け、更に後背部を後方支持体３に凭れ掛かるような着座姿勢を採る。このような着座姿勢においては、使用者Ｍの胸郭部Ｂ３の胸郭下部Ｂ３０の下方に後方支持体３における上縁部３Ａが位置する状態となる。一方、後方支持体３の下縁部３Ｂは、腰椎Ｂ２より上方の部位にあてがわれる状態に位置する。結果的に後方支持体３における身体に直接触れる支持クッション３３は、使用者Ｍの胸郭部Ｂ３と腰椎Ｂ２との間に位置するような構成を持っている。そして当然ながら、着座姿勢で使用者Ｍは、上半身をやや後傾することから、その後傾状態に合わせ後方支持体３は、回動軸３２を中心に回動する。この回動状態は、回動中心が胸郭部Ｂ３の直下部近くを回動中心としながら、後方支持体３の下縁部３Ｂは、やや前方、即ち着座部２側に迫り出してくるような状態に傾斜する（図１（ｂ）参照）。
その結果、図４に示すように後方支持体３は、あたかも使用者Ｍが着座した状態において、胸郭部Ｂ３から上方の肩胛骨（肩胛帯）Ｂ４、首（頸椎）Ｂ５、頭部Ｂ６に至る範囲の上体部位をいわば下支えするような状態で支承する。
【００１６】
このような着座姿勢では、上半身のかなりの荷重が後方支持体３によって支持され、使用者Ｍの腰椎Ｂ２或いは骨盤Ｂ１に伝わる上半身による負荷が充分軽減された状態となる。このことが結果的に、身体負荷を軽減した状態を提供しているのである。
因みに図７に示すように従来のいわゆる背凭れの考え方の椅子Ａ′の場合には、その正しい姿勢の時は、図７（ａ）に示すように筋肉の緊張を伴って座っているものであり、いわゆる安楽な着座姿勢は得られない。そして、背凭れに凭れ掛けた着座姿勢の場合には、図７（ａ）に示すように腰が前方にずれがちになり骨盤Ｂ１あるいは腰椎Ｂ２に対しての負担が多い。
【００１７】
〔他の実施の形態〕
本発明は以上述べた実施の形態を一つの基本的な技術思想とするものであるが、更に次のような改変が考えられる。
まず着座装置Ａとしては、図５に示すように平座椅子状のもの、更にはその中間の着座部２が幾分か高めに設定された低座椅子状のものが構成し得る。
更に後方支持体３については、全体として剛性を有するもののほか、例えば図６に示すようにベルト状のものであってもよい。
【符号の説明】
【００１８】
Ａ      着座装置
１      基枠体
１１    脚部
１２    座板支持枠
１３    肘掛枠
１４    後部枠
１５    回動支持部
２      着座部
２０    着座クッション
３      後方支持体
３Ａ    上縁部
３Ｂ    下縁部
３１    支持板
３２    回動軸
３３    支持クッション
Ｍ      使用者
Ｂ１    骨盤
Ｂ２    腰椎
Ｂ３    胸郭部
Ｂ３０  胸郭下部
Ｂ４    肩胛骨（肩胛帯）
Ｂ５    首（頸椎）
Ｂ６    頭部
【図１】
2011139840.tif 000003
【図２】
2011139840.tif 000004
【図３】
2011139840.tif 000005
【図４】
2011139840.tif 000006
【図５】
2011139840.tif 000007
【図６】
2011139840.tif 000008
【図７】
2011139840.tif 000009